(57)【要約】【課題】見栄えを良好に維持することのできるシート包装体及びシート包装体の製造方法を提供する。【解決手段】取出口を有する袋本体１０の内部に、複数枚のシートを積層させたシート積層体が収納され、取出口からシートが取り出されて使用されるシート包装体１００において、袋本体１０は、フィルム材により形成され、平面視長方形状の対向する上面部１０ａ及び下面部１０ｂを備え、上面部１０ａ及び下面部１０ｂの４つの長辺のうち少なくとも２つの長辺に沿って、袋本体１０の長手方向に沿って延在する互いに平行な形状保持部（ファスナー部２０、線状部３０）が備えられ、少なくとも２つの長辺は、袋本体１０の平面視において重ならない位置にある。【選択図】図１
2020152385.tif 000002
【特許請求の範囲】
【請求項１】
取出口を有する袋本体の内部に、複数枚のシートを積層させたシート積層体が収納され、前記取出口からシートが取り出されて使用されるシート包装体において、
前記袋本体は、フィルム材により形成され、平面視長方形状の対向する上面部及び下面部を備え、
前記上面部及び前記下面部の４つの長辺のうち少なくとも２つの長辺に沿って、前記袋本体の長手方向に延在する互いに平行な形状保持部が備えられ、
前記少なくとも２つの長辺は、前記袋本体の平面視において重ならない位置にあることを特徴とするシート包装体。
【請求項２】
前記形状保持部は、前記フィルム材より硬度の高い、可撓性を有する材料で形成されることを特徴とする請求項１に記載のシート包装体。
【請求項３】
前記形状保持部は、熱可塑性樹脂で形成されていることを特徴とする請求項１又は２に記載のシート包装体。
【請求項４】
前記上面部の一の長辺に沿って、前記取出口を開閉可能に形成するファスナーを備え、
前記形状保持部の一つは、前記ファスナーであることを特徴とする請求項１から３のいずれか一項に記載のシート包装体。
【請求項５】
請求項１から４のいずれか一項に記載のシート包装体の製造方法であって、
フィルム材に少なくとも２つの互いに平行な前記形状保持部を形成する第１工程と、
前記形状保持部の形成されたフィルム材の、前記形状保持部の延在方向と直交する方向の端部同士を重ねて筒状体を形成し、前記端部同士を熱溶着してセンターシール部を形成する第２工程と、
前記センターシール部の形成された前記筒状体の内部に前記シート積層体が配された状態で、当該筒状体の開口端部を熱溶着してトップシール部を形成する第３工程と、
を有することを特徴とするシート包装体の製造方法。
【請求項６】
前記第１工程は、フィルム材に熱可塑性樹脂からなる線状部材を熱溶着させることで前記形状保持部を形成することを特徴とする請求項５に記載のシート包装体の製造方法。
【発明の詳細な説明】
【技術分野】
【０００１】
本発明は、シート包装体及びシート包装体の製造方法に関する。
【背景技術】
【０００２】
従来、取出口を有する袋本体の内部に、ウェットティシューなどのシートを複数枚積層させたシート積層体を収納しておき、取出口からシートを一枚ずつ取り出すようにして使用されるシート包装体が知られている。
かかるシート包装体では、例えば、ピロー包装と呼ばれる包装形態などが利用されている。ピロー包装とは、被包装物であるシート積層体をフィルム材で巻き込むように包み、その巻き込み方向において重畳する端部を接着し、さらに巻き込み方向と直交する方向のフィルム材の開口端部を接着してなる包装形態である（例えば、特許文献１参照）。
【先行技術文献】
【特許文献】
【０００３】
【特許文献１】特許第６２４９５５２号公報
【発明の概要】
【発明が解決しようとする課題】
【０００４】
しかしながら、このようにフィルム材のみでシート積層体を包装しているシート包装体では、袋本体の形状が崩れやすく、見栄えが損なわれる場合があった。
【０００５】
本発明の課題は、見栄えを良好に維持することのできるシート包装体及びシート包装体の製造方法を提供することである。
【課題を解決するための手段】
【０００６】
前記課題を解決するために、請求項１に記載の発明は、
取出口を有する袋本体の内部に、複数枚のシートを積層させたシート積層体が収納され、前記取出口からシートが取り出されて使用されるシート包装体において、
前記袋本体は、フィルム材により形成され、平面視長方形状の対向する上面部及び下面部を備え、
前記上面部及び前記下面部の４つの長辺のうち少なくとも２つの長辺に沿って、前記袋本体の長手方向に延在する互いに平行な形状保持部が備えられ、
前記少なくとも２つの長辺は、前記袋本体の平面視において重ならない位置にあることを特徴とする。
本発明によれば、形状保持部により袋本体の形状が保持されるので、見栄えを良好に維持できるシート包装体を提供することができる。
【０００７】
また、請求項２に記載の発明は、請求項１に記載のシート包装体において、
前記形状保持部は、前記フィルム材より硬度の高い、可撓性を有する材料で形成されることを特徴とする。
本発明によれば、袋本体に外力が加わった場合にも変形し難く、見栄えが損なわれるのを抑制することができる。
【０００８】
また、請求項３に記載の発明は、請求項１又は２に記載のシート包装体において、
前記形状保持部は、熱可塑性樹脂で形成されていることを特徴とする。
本発明によれば、熱溶着により、袋本体と一体となった形状保持部を備えた構成とすることができる。
【０００９】
また、請求項４に記載の発明は、請求項１から３のいずれか一項に記載のシート包装体において、
前記上面部の一の長辺に沿って、前記取出口を開閉可能に形成するファスナーを備え、
前記形状保持部の一つは、前記ファスナーであることを特徴とする。
本発明によれば、ファスナーがシート包装体の形状保持部として機能することで、部品点数が増加するのを防ぐことができる。
【００１０】
また、請求項５に記載の発明は、
請求項１から４のいずれか一項に記載のシート包装体の製造方法であって、
フィルム材に少なくとも２つの互いに平行な前記形状保持部を形成する第１工程と、
前記形状保持部の形成されたフィルム材の、前記形状保持部の延在方向と直交する方向の端部同士を重ねて筒状体を形成し、前記端部同士を熱溶着してセンターシール部を形成する第２工程と、
前記センターシール部の形成された前記筒状体の内部に前記シート積層体が配された状態で、当該筒状体の開口端部を熱溶着してトップシール部を形成する第３工程と、
を有することを特徴とする。
本発明によれば、フィルム材に形状保持部を形成することにより、熱溶着の熱によりフィルム材が伸縮するのが防止され、見栄えの良好なシート包装体を製造することができる。
【００１１】
また、請求項６に記載の発明は、請求項５に記載のシート包装体の製造方法において、
前記第１工程は、フィルム材に熱可塑性樹脂からなる線状部材を熱溶着させることで前記形状保持部を形成する。
本発明によれば、形状保持部をフィルム材に容易に形成することができる。
【発明の効果】
【００１２】
本発明によれば、見栄えを良好に維持することのできるシート包装体及びシート包装体の製造方法を提供することができる。
【図面の簡単な説明】
【００１３】
【図１】実施形態に係るシート包装体を示す斜視図である。
【図２】図１のＩＩ−ＩＩ部における断面図である。
【図３】形状保持部の配置について説明するための図である。
【図４】実施形態に係るシート包装体の製造方法を示すフローチャートである。
【図５】他の態様のシート包装体を示す斜視図である。
【発明を実施するための形態】
【００１４】
以下、本発明の実施形態であるシート包装体について、図１から図５に基づいて説明する。ただし、本発明の技術的範囲は、図示例に限定されない。
なお、以下においては、図１に示すように、前後方向、左右方向及び上下方向並びにＸ軸、Ｙ軸及びＺ軸を定めて説明する。すなわち、シート包装体１００の厚み方向において、フラップ部Ｆが形成された側を上、その反対側を下、シート包装体１００の長手方向の一端側を前、その反対側を後、後を向いた際の右手側を右、後を向いた際の左手側を左とし、前後方向に沿った軸をＸ軸、左右方向に沿った軸をＹ軸、上下方向に沿った軸をＺ軸とする。
【００１５】
＜シート包装体の構成＞
シート包装体１００は、例えば、ピロータイプのガゼット包装体であって、その内部にシート積層体Ｔが収容され、取出口からシートを一枚ずつ取り出すようにして使用されるものである。
シート包装体１００は、図１に示すように、一枚のフィルム材からなる袋本体１０と、袋本体１０の右側部において長手方向に沿って開閉可能な取出口を形成するファスナー部２０と、袋本体１０の左側部において長手方向に沿って設けられた線状部３０と、を備えて構成される。
【００１６】
（シート積層体）
シート積層体Ｔは、例えば、ティシューペーパー、トイレクリーナー、キッチンクリーナー等のドライシート又はウェットシートであり、複数枚をそれぞれ折り畳み状態で積層させている。シート積層体Ｔの高さは、シート包装体１００に収納可能な高さであれば特に限定はない。
【００１７】
（袋本体）
袋本体１０は、扁平な袋状に形成されている。具体的に、袋本体１０は、平面視長方形状の対向する上面部１０ａ及び下面部１０ｂと、上面部１０ａ及び下面部１０ｂを連結させる一対のマチ部１０ｃ，１０ｃと、を備える。
なお、ここでいう「平面視長方形状」には、厳密に長方形である場合のみでなく、例えば角部が直角でない場合などの多少の誤差や変形を含み得る。つまり、一見して長方形状であればよい。
この袋本体１０は、一枚のフィルム材の対向する端部同士を重畳させて接着し、さらに、形成された筒状体の開口両端部を接着することで形成されたものである。
具体的に、袋本体１０は、一枚のフィルム材の対向する端部同士を合掌状態に重畳させたフラップ部Ｆを有し、フラップ部Ｆの先端に、熱溶着されて形成されたセンターシール部１１を備えている。また、袋本体１０は、センターシール部１１を形成することで筒状体となったフィルム材の開口両端部が熱溶着されて形成されたトップシール部１２，１２と、を備える。
フラップ部Ｆは、袋本体１０の上面部１０ａの一側部（右側部）において、前後方向に延在するように配されている。また、トップシール部１２，１２は、袋本体１０の長手方向の両端部（前端部及び後端部）に、それぞれ位置している。
【００１８】
フィルム材の材質としては、例えば、ポリエチレン、ポリプロピレン、ポリエチレンテレフタレート、ポリエステル、ポリアミド、ポリ塩化ビニル等の合成樹脂シートの単材若しくは複合材、又はこれら合成樹脂シートとアルミフォイル若しくは紙等を貼り合わせた複合シートを使用することができる。また、フィルム材の厚みは、例えば、４０μｍから７０μｍ程度である。
【００１９】
（フラップ部）
フラップ部Ｆは、上述したように、袋本体１０の上面部１０ａの右側部において、前後方向に延在するように配されている。
フラップ部Ｆは、図２に示すように、袋本体１０のマチ部１０ｃよりも外方に突出するように設けられており、その先端部がシート包装体１００の上面に重なるように、基端部で折り曲げた状態とすることもできる。
【００２０】
フラップ部Ｆの先端には、センターシール部１１が備えられる。また、フラップ部Ｆにおいては、センターシール部１１よりも基端部側にファスナー部２０が備えられており、さらに、ファスナー部２０とセンターシール部１１との間に、切断用ミシン目等の切り取り線部１３が備えられている。
切り取り線部１３に沿って、手やハサミ等でフラップ部Ｆを切断すると、フラップ部Ｆからセンターシール部１１が切除され、この切除に伴って、切り取り線部１３とファスナー部２０との間に、ファスナー部２０を開くために指で摘む部分となるリム部を形成することができる。
【００２１】
（ファスナー部）
ファスナー部２０は、図１及び図２に示すように、フラップ部Ｆを形成する２枚フィルム材の内面側に前後方向に沿って配設される。フラップ部Ｆの下側のフィルム材に、雄咬合子２０ａが備えられ、フラップ部Ｆの上側のフィルム材に、雌咬合子２０ｂが備えられる。
雄咬合子２０ａと雌咬合子２０ｂとは、互いに咬み合う形状である。その一例としては、雄咬合子２０ａは断面略Ｔ字型であり、雌咬合子２０ｂは断面略Ｃの字型である。
ファスナー部２０が開けられた状態では、上下のフィルム材が離間して、取出口となる開口が形成される。そして、雄咬合子２０ａの先端と雌咬合子２０ｂ先端とが、咬合しあうことで、ファスナー部２０が閉じられた状態となり、取出口が閉塞される。
かかるファスナー部２０により、袋本体１０の取出口に隙間が生じることなく密封状態が保たれる。特にウェットシートを収容している場合には、シートが乾燥してしまうのを防止することができる。また、必要により、Ｙ方向に並列な複数のファスナー部２０を備えた二重構造を採用すると、密封状態を確実にできるため好ましい。
【００２２】
（線状部）
線状部３０は、図１及び図２に示すように、袋本体１０の上面部１０ａの左側部に、前後方向に沿って延在する線状部材３１を備える。線状部材３１は、ファスナー部２０と平行になるように設けられている。
線状部材３１は、フィルム材より硬度の高い可撓性を有する材料で形成されることが好ましく、例えば、ポリエチレン、ポリプロピレン、ポリエチレンテレフタレート等の熱可塑性樹脂を用いることができる。
線状部材３１のＹ方向の幅としては、例えば、３．０ｍｍ〜３０．０ｍｍである。
なお、線状部３０は、図１では、袋本体１０の上面部１０ａの内面側に設けられているが、上面部１０ａの外面側に設けられていても良い。また、線状部３０としては、Ｙ方向に並列な複数の線状部材３１を備えても良い。
【００２３】
（形状保持部）
ここで、本実施形態においては、上記したファスナー部２０と線状部３０とが、袋本体１０の形状を保持するための「形状保持部」として機能している。
形状保持部は、フィルム材より硬質な可撓性を有する材質により、上面部１０ａ及び下面部１０ｂの４つの長辺のうち少なくとも２つの長辺に沿って、その近傍或いは重なるように、袋本体１０の長手方向に沿って延在するように設けられるものである。
この少なくとも２つの形状保持部は、互いに平行で、且つ、袋本体１０の平面視において重ならない位置に設けられる。
なお、ここでいう「互いに平行」とは、厳密に平行である場合のみでなく、袋本体１０の歪みなどによる、ある程度の誤差や変形を含み得る。
また、「重ならない位置」も、Ｚ方向において厳密に重なっている必要はなく、一見してＺ方向において重なっている位置を意味している。
このような形状保持部により、例えば、シート積層体Ｔが少なくなって袋本体１０の収容空間の空き領域が増えた際などに、袋本体１０の形状が崩れるのを防止することができる。
【００２４】
なお、本実施形態では、上述したように、ファスナー部２０が形状保持部としての役割を担っているが、ファスナー部２０とは別に、袋本体１０の上面部１０ａの右側部に線状部３０を備えることとしても良い。
【００２５】
また、本実施形態では、図１及び図２に示したように、上面部１０ａの２つの長辺に沿って形状保持部を有する構成を例示して説明したが、形状保持部の位置はこれに限定されない。
具体的には、図３（ａ）に示すように、上面部１０ａの右側部の長辺と、下面部１０ｂの左側部の長辺に沿って、形状保持部（ファスナー部２０及び線状部３０）が設けられても良い。
また、図３（ｂ）に示すように、上面部１０ａの２つの長辺と、下面部１０ｂの一方の長辺（ここでは左側部の長辺）に、全部で３つの形状保持部（ファスナー部２０及び２つの線状部３０）が設けられても良い。
また、図３（ｃ）に示すように、上面部１０ａ及び下面部１０ｂの４つの長辺に沿って、全部で４つの形状保持部（ファスナー部２０及び３つの線状部３０）が設けられても良い。
図３（ａ）〜図３（ｃ）においても、ファスナー部２０とは別に線状部３０を備えても良い。
【００２６】
＜包装体の使用方法＞
次に、シート包装体１００の使用方法について説明する。
シート包装体１００は、フラップ部Ｆを基端部にて折曲し、袋本体１０の上面に重ねて保管することができる。使用に際し、フラップ部Ｆを起こして展開させ、切り取り線部１３に沿って、センターシール部１１を切除して、切り取り線部１３とファスナー部２０との間に、リム部を形成させる。
【００２７】
次いで、ファスナー部２０を開いてフラップ部Ｆに取出口を形成し、取出口から手指を差し入れ、シート積層体Ｔを構成するシートのうち、必要枚数のシートを取り出すことができる。シートの取り出し後はファスナー部２０を閉じ、そのまま、或いはフラップ部Ｆを元の折曲状態とする。
【００２８】
シート包装体は、通常、袋本体１０がフィルム材により形成されるため形状が崩れやすい。特に、シート積層体Ｔの枚数が減って袋本体１０の内部に余剰空間をできた場合などには形状が崩れやすいところ、本実施形態のシート包装体１００は、形状保持部により袋本体１０の形状が維持され、見栄えを良好に維持することが可能となっている。
また、シート包装体１００を容器に収納して保管する場合、その容器の形状にあわせて形状保持部の両端部が湾曲しつつも、全体として袋本体１０の形状が維持されるため、見栄えを良好に維持することが可能となる。
【００２９】
＜包装体の製造方法＞
次に、シート包装体１００の製造方法の一例について説明する。
図４は、シート包装体１００の製造方法を示すフローチャートである。
なお、前提として、複数枚のシートを折り畳み状態で積層させたシート積層体Ｔが作製されていることとする。
【００３０】
まず、搬送される帯状のフィルム材上の搬送方向の所定位置で、幅方向に延在するように、熱可塑性樹脂からなる線状部材３１を載置し、熱を加えて溶着させて、帯状のフィルム材上に形状保持部を一体的に形成する（ステップＳ１：第１工程）。
なお、第１工程は、フィルム材に形状保持部を形成するものであれば、熱溶着でなくともよい。
例えば、形状保持部としてのファスナー材（雄咬合子２０ａ及び雌咬合子２０ｂ）も、搬送される帯状のフィルム材上の搬送方向の所定位置で、幅方向に延在するように配置され、所定方法でフィルム材に固定された状態とされる。
【００３１】
次に、形状保持部の形成されたフィルム材により筒状体を形成し、筒状体の端部同士を熱溶着してセンターシール部１１を形成する（ステップＳ２：第２工程）。
具体的に、第２工程においては、形状保持部の形成されたフィルム材上にシート積層体Ｔを載置して、これを包むように、フィルム材の搬送方向先端部をシート積層体Ｔの後方のフィルム体の所定位置に重畳させ（筒状体の形成）、その重畳させた部分（筒状体の端部同士）を熱溶着し、筒状体をフィルム材から切断する。
なお、帯状のフィルム材を切断した後、筒状体を形成して熱溶着しても良い。
また、筒状体の熱溶着後、その内部にシート積層体Ｔが入れられることとしても良い。
【００３２】
このようにして、筒状となったフィルム材の内部にシート積層体Ｔが配された状態において、筒状のフィルム材の開口端部を熱溶着してトップシール部１２，１２を形成する（ステップＳ３：第２工程）。
【００３３】
かかる製造工程においては、センターシール部１１の形成時には、フィルム材に形状保持部が形成されているため、熱溶着の熱によりフィルム材が伸縮するのが防止され、袋本体１０の長手方向に皺や歪みが発生するのを抑制することができる。これにより、皺や歪みがなく、寸法の安定したシート包装体１００を生産することが可能となる。
【００３４】
＜効果＞
以上のように、本実施形態によれば、取出口を有する袋本体１０の内部に、複数枚のシートを積層させたシート積層体Ｔが収納され、取出口からシートが取り出されて使用されるシート包装体１００において、袋本体１０は、フィルム材により形成され、平面視長方形状の対向する上面部１０ａ及び下面部１０ｂを備え、上面部１０ａ及び下面部１０ｂの４つの長辺のうち少なくとも２つの長辺に沿って、袋本体１０の長手方向に沿って延在する互いに平行な形状保持部（ファスナー部２０、線状部３０）が備えられ、少なくとも２つの長辺は、袋本体１０の平面視において重ならない位置にある。
このため、形状保持部により袋本体１０の形状が保持されるので、見栄えを良好に維持することができる。
【００３５】
また、本実施形態によれば、形状保持部は、フィルム材より硬度の高い、可撓性を有する材料で形成される。
このため、袋本体１０に外力が加わった場合にも変形し難く、見栄えが損なわれるのを抑制することができる。
【００３６】
また、本実施形態によれば、形状保持部は、熱可塑性樹脂で形成される。
このため、熱溶着により、袋本体と一体となった形状保持部を備えた構成とすることができる。
【００３７】
また、本実施形態によれば、上面部１０ａの一の長辺の近傍には、袋本体１０の長手方向（Ｘ方向）に沿って延在し、取出口を開閉可能に形成するファスナー部２０を備え、形状保持部の一つは、ファスナー部２０である。
このため、ファスナー部２０で形状保持部を兼用することができ、構成を簡単にすることができる。
【００３８】
また、本実施形態によれば、シート包装体の製造方法であって、フィルム材に少なくとも２つの互いに平行な形状保持部を形成する第１工程と、形状保持部の形成されたフィルム材の、前記形状保持部の延在方向と直交する方向の端部同士を重ねて筒状体を形成し、前記端部同士を熱溶着してセンターシール部１１を形成する第２工程と、センターシール部１１の形成された筒状体の内部にシート積層体Ｔが配された状態で、当該筒状体の開口端部を熱溶着してトップシール部１２，１２を形成する第３工程と、を有する。
このため、センターシール部１１を形成する前にフィルム材に形状保持部を形成することにより、センターシール部１１の形成時の熱でフィルム材が収縮されるのが抑制される。すなわち、シート包装体１００の長手方向に沿った辺の長さを略同一にできる。よって、皺や歪みの発生が抑えられ、見栄えの良好なシート包装体１００を製造することができる。
【００３９】
また、本実施形態によれば、第１工程は、フィルム材に熱可塑性樹脂からなる線状部材３１を熱溶着させて形状保持部を形成する。
このため、フィルム材に、形状保持部を容易に形成することができる。
【００４０】
＜その他＞
なお、上記実施形態においては、シート包装体１００として、ファスナー部２０の開閉で形成される取出口からシートを取り出す構成のものを例示して説明したが、シート包装体の形状はこれに限定されない。
例えば、図５に示すように、上面部５０ａにシートを取り出す取出口が形成された袋本体５０と、取出口を開閉自在に覆う蓋材６０と、を備えたシート包装体２００であっても良い。蓋材６０は、上面部５０ａに貼着されており、蓋材６０を剥がして取出口からシートが取り出され、シート取出し後には、蓋材６０は再度上面部５０ａに貼着される。
シート包装体２００の場合、図５では図示は省略しているが、センターシール部１１は、上面部５０ａと対向する下面部５０ｂに配されている。
また、図５のシート包装体２００では、上面部５０ａの右側部及び左側部に、形状保持部としての線状部３０が備えられている。なお、形状保持部の位置としては、例えば、図３（ａ）〜図３（ｃ）に例示したものと同様に設定可能である。
このように蓋材６０が上面部５０ａに貼着される構成の場合、形状保持部により上面部５０ａに皺や歪み等が発生し難いことで、密閉状態をより保ち易くすることができる。
【符号の説明】
【００４１】
１０、５０  袋本体
１０ａ、５０ａ  上面部
１０ｂ、５０ｂ  下面部
１０ｃ  マチ部
１１  センターシール部
１２  トップシール部
１３  切り取り線部
２０  ファスナー部（形状保持部）
２０ａ  雄咬合子
２０ｂ  雌咬合子
３０  線状部（形状保持部）
３１  線状部材
６０  蓋材
Ｆ  フラップ部
Ｔ  シート積層体
１００、２００  シート包装体
【図１】
2020152385.tif 000003
【図２】
2020152385.tif 000004
【図３】
2020152385.tif 000005
【図４】
2020152385.tif 000006
【図５】
2020152385.tif 000007